(57)【特許請求の範囲】
【請求項１】
第１の光ビームを出射する第１の光源と、
第２の光ビームを出射する第２の光源と、
前記第１の光源より出射された第１の光ビームおよび前記第２の光源より出射された第２の光ビームを受光して光電流を発生する光検出器と、
前記光検出器より発生された光電流を電圧に変換するアンプと、
このアンプのゲインを前記第１の光ビームまたは前記第２の光ビームのうち一方の光ビームに対する感度調整を行うために可変設定するゲイン可変手段と、
前記第１の光ビームまたは前記第２の光ビームのうち他方の光ビームの前記光検出器への入射光量を調整する、光路を横切る方向に移動自在に設けられた遮光板と
を具備することを特徴とする光ピックアップ。
【請求項２】
第１の光ビームを出射する第１の光源と、
第２の光ビームを出射する第２の光源と、
前記第１の光源より出射された第１の光ビームおよび前記第２の光源より出射された第２の光ビームを受光して光電流を発生する光検出器と、
前記光検出器より発生された光電流を電圧に変換するアンプと、
このアンプの出力電圧に基づいて前記第１の光源および前記第２の光源のパワーを制御する制御手段と、
このアンプのゲインを前記第１の光ビームまたは前記第２の光ビームのうち一方の光ビームに対する感度調整を行うために可変設定するゲイン可変手段と、
前記第１の光ビームまたは前記第２の光ビームのうち他方の光ビームの前記光検出器への入射光量を調整する、光路を横切る方向に移動自在に設けられた遮光板と
を具備することを特徴とする光ディスク装置。
【発明の詳細な説明】
【０００１】
【発明の属する技術分野】
この発明は、光学式記録媒体に信号を記録したり、記録された信号を読み取る光ピックアップとこれを搭載した光ディスク装置に係り、特に、波長の異なる光ビームを出射する２つの光源を備えた光ピックアップとこれを搭載した光ディスク装置に関する。
【０００２】
【従来の技術】
ＤＶＤおよびＣＤなどの異種ディスクに対して記録・再生を行う光ディスク装置に用いられる光ピックアップでは、たとえば、レーザーダイオードなどのＤＶＤ用の赤色光源から出射される光ビームと、ＣＤ用の赤外光源から出射される光ビームを光検出器（フロントモニタ）にて受光することによって各光源の光量をモニタし、各光源の光量（パワー）を最適化する制御などを行っている。
【０００３】
ここで言うＤＶＤは、たとえばＤＶＤ−ＲＯＭ、ＤＶＤ−ＲＡＭ、ＤＶＤ−Ｒ、ＤＶＤ−ＲＷなどであり、ＤＶＤ用の赤色光源はたとえば波長６５０ｎｍのレーザーを出射する光源（以下、第１の光源と呼ぶ。）である。また、ここで言うＣＤはたとえばＣＤ−ＲＯＭ、ＣＤ−Ｒ、ＣＤ−ＲＷなどであり、ＣＤ用の赤色光源とはたとえば波長７８０ｎｍのレーザーを出射する光源（以下、第２の光源と呼ぶ。）である。
【０００４】
ノートブックパソコンなどに搭載される薄型の光ディスク装置に用いられる光ピックアップでは、機構的な形状の制約から、上記２つの光源の出射光を同一の光検出器にて受光するように構成をとる場合が多い。
【０００５】
以下に、この共通光検出器型の光ピックアップのフロントモニタの構成について図６、図７を参照して説明する。
【０００６】
図６に示す光ピックアップ１４において、第１の光源１より出射された光ビームの一部１ａおよび第２の光源２より出射された光ビームの一部２ａは、それぞれフロントモニタ用の光検出器７に入射される。光検出器７は受光量に対応した光電流を発生する。この光電流はアンプ８によってモニタ電圧に変換される。光ディスク装置１６のコントローラ９は、モニタ電圧の値と基準値とを比較し、この比較結果に基づいて、各光源１，２のパワーが最適となるようにレーザー駆動回路１３の制御を行う。
【０００７】
このように２つの光源１，２の光量を一つの光検出器７を用いてモニタリングする光ピックアップ１４では、フロントモニタの感度を各々の光源１，２について独立に調整しなければならない。
【０００８】
図７に、このモニタ感度を調整する機構１５を示す。同図に示すように、アンプ８には２つの可変抵抗１０ａ，１０ｂのいずれか一方がアナログスイッチ１１の切り替えによって帰還抵抗として接続される。第１の光源１の光量をモニタリングするときは可変抵抗１０ａが、第２の光源２の光量をモニタリングするときは可変抵抗１０ｂがアンプ１５に帰還抵抗として接続される。したがって、２つの可変抵抗１０ａ，１０ｂの抵抗値を個別に調整することによって、各光源１，２のモニタ感度を独立に設定することができる。
【０００９】
【発明が解決しようとする課題】
ところで、上述した光ピックアップ１４では、モニタ対象を第１の光源１と第２の光源２とで切り替えるためにコントローラ９より出力される制御信号１２を取り込む制御端子が必要となる。
【００１０】
しかしながら、特にノートブックパソコンなどに搭載される薄型の光ディスク装置に用いられる光ピックアップでは、光ディスク装置本体の回路基板と光ピックアップの回路基板とを接続するフレキシブル印刷基板（ＦＰＣ）の信号線の数の制約が厳しく、制御端子を増設することは設計上回避したいという要望があった。
【００１１】
また、光検出器７の受光量が第１の光源１と第２の光源２とで大きく異なるとき、２つの可変抵抗１０ａ，１０ｂの差も大きくなり、安定したアンプ動作を実現することが難しくなるという課題があった。
【００１２】
この発明は、上記課題を解決するためのもので、フロントモニタ対象の光源を切り替えるための制御が不要であるとともに、２つの光源のフロントモニタを安定に行うことのできる光ピックアップと光ディスク装置を提供することを目的とする。
【００１３】
【課題を解決するための手段】
本発明に係る光ピックアップは、上記の目的を達成するために、第１の光ビームを出射する第１の光源と、第２の光ビームを出射する第２の光源と、
前記第１の光源より出射された第１の光ビームおよび前記第２の光源より出射された第２の光ビームを受光して光電流を発生する光検出器と、前記光検出器より発生された光電流を電圧に変換するアンプと、このアンプのゲインを前記第１の光ビームまたは前記第２の光ビームのうち一方の光ビームに対する感度調整を行うために可変設定するゲイン可変手段と、前記第１の光ビームまたは前記第２の光ビームのうち他方の光ビームの前記光検出器への入射光量を調整する、光路を横切る方向に移動自在に設けられた遮光板とを具備することを特徴とする。
【００１４】
本発明によれば、一方の光源のフロントモニタ感度をアンプのゲインの選定によって電気的に調整し、他方の光源のフロントモニタ感度を入射光量調整手段によって光学的に調整することができるので、フロントモニタ対象の光源を切り替える制御が不要になって光ピックアップの制御端子の数を低減できるとともに、２つの光源のフロントモニタを安定に行うことができる。
【００１７】
【発明の実施の形態】
以下、この発明の実施の形態を、図面を参照して説明する。
【００１８】
図１は、この発明に係る一実施形態である光ディスク装置と光ピックアップの主要部の構成を示す図である。
【００１９】
同図において、２０は光ディスク装置３６の光ピックアップであり、この光ピックアップ２０は、光ビームを出射する２つの光源２１， ２２として、たとえばＤＶＤ−ＲＯＭ、ＤＶＤ−ＲＡＭ、ＤＶＤ−Ｒ、ＤＶＤ−ＲＷなどのＤＶＤ用の赤色光源であって、たとえば波長６５０ｎｍのレーザーを出射する第１の光源２１と、たとえばＣＤ−ＲＯＭ、ＣＤ−Ｒ、ＣＤ−ＲＷなどのＣＤ用の赤色光源であって、たとえば波長７８０ｎｍのレーザーを出射する第２の光源２２とを備えている。
【００２０】
第１の光源２１より出射した光ビームは、ダイクロイックプリズム２３で反射し、コリメータレンズ２４、対物レンズ２５を通ってディスク２６の面に集光する。また、第１の光源２１より出射した光ビームの一部２１ａはフロントモニタ用の光検出器２７に入射される。光検出器２７は受光量に対応した光電流を発生する。
【００２１】
光検出器２７にはアンプ２８が接続されている。光検出器２７にて発生した光電流はアンプ２８にてモニタ電圧に変換される。光ディスク装置３６のコントローラ２９はこのモニタ電圧を基準値と比較し、この比較結果に基づいて、第１の光源２１のパワーが最適となるようにレーザー駆動回路３３の制御を行う。
【００２２】
アンプ２８には、そのゲインを可変設定することによって第１の光源２１のモニタ感度を調整するための手段３５が接続されている。すなわち、図２に示すように、アンプ２８にはゲイン可変手段である可変抵抗３０が帰還抵抗として接続されており、この可変抵抗３０の抵抗値を調整することによって、第１の光源２１のモニタ感度の設定を行うことが可能となっている。
【００２３】
一方、第２の光源２２より出射した光ビームは、ダイクロイックプリズム２３を透過し、コリメータレンズ２４、対物レンズ２５を通ってディスク２６の面に集光する。また、第２の光源２２より出射した光ビームの一部２２ａは、第１の光源２１より出射した光ビームの一部２１ａと同様にフロントモニタ用の光検出器２７に入射され、受光量に対応した光電流がアンプ２８にてモニタ電圧に変換される。
【００２４】
ここで、第２の光源２２とフロントモニタ用の光検出器２７との間の光路上には入射光量調整手段としての通過光量調整板たとえば遮光板３１が配置されている。遮光板３１は、第２の光源２２から光検出器２７への入射する光ビームの一部を遮光して光検出器２７への入射光量を調整(制限)するものである。この遮光板３１は、第２の光源２２からフロントモニタ用の光検出器２７への入射光量を、たとえば手動あるいは自動で調整することができるように、上記光路を横切る方向へ移動自在に設けられている。
【００２５】
以上のように、この実施形態においては、第２の光源２２とフロントモニタ用の光検出器２７との間の光路上に遮光板３１を配置し、この遮光板３１を移動させて第２の光源２２から光検出器２７への入射光量を調整(制限)することによって、第２の光源２２のモニタリング感度を設定することができる。フロントモニタの具体的な感度調整の手順としては、たとえば、第１の光源２１のモニタリング感度を可変抵抗３０の抵抗値を調整することによって設定した後、第２の光源２２のモニタリング感度の設定を遮光板３１を移動させて行うという手順がある。
【００２６】
したがって、この実施形態によれば、フロントモニタ対象の光源を切り替えるための制御が不要になるために、光ピックアップ２０の制御端子数を低減することができる。また、図２に示したように、モニタ感度調整用の可変抵抗３０がひとつで済むことから、アンプ２８の動作が安定し、各光源２１，２２のフロントモニタを安定に行うことが可能になる。
【００２７】
上述した実施形態は、光検出器２７での第２の光源２２からの受光量が第１の光源２１からの受光量よりも大きい場合のものであるが、逆に第１の光源２１からの受光量が第２の光源２２からの受光量よりも大きい場合には、図３に示すように、第１の光源２１と光検出器２７との間の光路上に遮光板３２を配置し、この遮光板３２によって、第１の光源２１からフロントモニタ用の光検出器２７への入射光量を調整(制限)して第１の光源２１のモニタ感度を設定すればよい。この場合、第２の光源２２のモニタ感度は図２に示した可変抵抗３０の抵抗値を選定することによって設定する。
【００２８】
また、入射光量調整手段としては、遮光板３１以外の通過光量調整板を用いてもよい。たとえばＮＤフィルタ (Neutral Density Filter) などのフィルタを用いることができる。
【００２９】
さらに、本実施形態では、光検出器２７とアンプ２８とが別体のものを用いたが、これらを一体に組み合わせて構成されたものを使用してもよい。
なお、以上、光ディスク装置のフロントモニタの部分の構成に的を絞って本発明に係る実施形態を説明したが、光ディスク装置は、ディスクを保持して回転・駆動する駆動機構、光ピックアップをディスクの半径方向に移動させるピックアップ送り機構、光ピックアップによってディスクから読み出された信号を復号し、復号データのデスクランブル処理、誤り訂正などを通じてデータを再生し、上位装置（ホスト）に転送したり、上位装置より転送されたデータを光ピックアップによってディスクに記録するために符号化し、スクランブル処理、誤り訂正符号の付加などの信号処理を行う手段、トラッキングサーボ、フォーカシングサーボ、ディスクモータの回転のサーボなどを行うサーボ手段などを備える。これらの部分は本発明と直接の関連をもたないので、詳細な説明を省いた。
【００３０】
次に、本発明の別の実施形態を説明する。図４は、この実施形態である光ディスク装置と光ピックアップの主要部の構成を示す図である。
【００３１】
同図において、４０は光ディスク装置３７の光ピックアップであり、この光ピックアップ４０は、光ビームを出射する２つの光源２１， ２２として、一実施形態と同様にたとえばＤＶＤ用の赤色光源である第１の光源４１と、たとえばＣＤ用の赤色光源である第２の光源４２とを備えている。
【００３２】
第１の光源４１より出射した光ビームは、ダイクロイックプリズム４３で反射して、コリメータレンズ４４、対物レンズ４５を通ってディスク４６の面に集光する。また、第１の光源４１より出射した光ビームの一部４５ａはフロントモニタ用の光検出器４７に入射される。フロントモニタ用の光検出器４７はアンプ４８に接続されている。光検出器４７にて発生した光電流はアンプ４８にてモニタ電圧に変換される。この光ディスク装置３７のコントローラ４９は、このモニタ電圧を基準値と比較し、この比較結果に基づいて、第１の光源４１のパワーが最適となるようにレーザー駆動回路５３の制御を行う。
【００３３】
第１の光源４１と光検出器４７の間の光路上には第１の遮光板５１が配置されている。この第１の遮光板５１は、第２の光源２２からフロントモニタ用の光検出器２７への入射光量を、たとえば手動あるいは自動で調整することができるように、上記光路を横切る方向へ移動自在に設けられている。
【００３４】
一方、第２の光源４２より出射した光ビームは、ダイクロイックプリズム４３を透過して、コリメータレンズ４４、対物レンズ４５を通ってディスク４６の面に集光する。また、第２の光源４２より出射した光ビームの一部４２ａはフロントモニタ用の光検出器４７に入射される。光検出器４７にて発生した光電流はアンプ４８にてモニタ電圧に変換される。コントローラ４９は、このモニタ電圧を基準値と比較し、この比較結果に基づいて、第２の光源４２のパワーが最適となるようにレーザー駆動回路５３の制御を行う。
【００３５】
第２の光源４２と光検出器２７との間の光路上には第２の遮光板５２が配置されており、この第２の遮光板５２は、第２の光源４２からフロントモニタ用の光検出器２７への入射光量を調整することができるように、上記光路を横切る方向へ移動自在に設けられている。
【００３６】
すなわち、この実施形態では、第１の光源４１および第２の光源４２からフロントモニタ用の光検出器２７へのそれぞれの入射光量を、各遮光板５１，５２によって個別に調整することによって、フロントモニタ感度の設定を行うことができる。
【００３７】
ここで、図５に示すように、アンプ４８の帰還抵抗としては、第１の光源４１および第２の光源４２から光検出器２７へのそれぞれの入射光量を各遮光板５１，５２によって個別に調整することが可能であるから、固定抵抗５０を用いればよい。
【００３８】
したがって、この実施形態によっても、フロントモニタ対象の光源を切り替えるための制御が不要になるために、光ピックアップ４０の制御端子数を低減することができる。また、図５に示したように、モニタ感度調整用の可変抵抗を固定抵抗５０に置き換えることができるので、アンプ４８の動作が安定し、各光源４１，４２のフロントモニタを安定に行うことが可能になる。
【００３９】
以上本発明の実施形態を説明したが、本発明は、上述の実施形態にのみ限定されるものではなく、本発明の要旨を逸脱しない範囲内において種々変更を加え得ることは勿論である。
【００４０】
【発明の効果】
以上説明したように、本発明によれば、フロントモニタ対象の光源を切り替える制御が不要になって光ピックアップの制御端子の数を低減できるとともに、２つの光源のフロントモニタを安定に行うことができる。
【図面の簡単な説明】
【図１】本発明に係る一実施形態である光ディスク装置と光ピックアップの主要部の構成を示す図である。
【図２】図１の光ピックアップのフロントモニタのアンプの構成を示す図である。
【図３】図１の実施形態の光ディスク装置と光ピックアップの変形例を示す図である。
【図４】本発明に係る別の実施形態である光ディスク装置と光ピックアップの主要部の構成を示す図である。
【図５】図４の光ピックアップのフロントモニタのアンプの構成を示す図である。
【図６】従来の光ディスク装置と光ピックアップの構成を示す図である。
【図７】従来の光ピックアップのフロントモニタ用のアンプの構成を示す図である。
【符号の説明】
２０，４０・・・光ピックアップ
２１，４１・・・第１の光源
２２，４２・・・第２の光源
２７，４７・・・光検出器
２８，４８・・・アンプ
２９，４９・・・コントローラ
３０・・・可変抵抗
３１，３２，５１，５２・・・遮光板
３３，５３・・・レーザー駆動回路
３６，３７・・・光ディスク装置
【図１】
0003822499.tif 000002
【図２】
0003822499.tif 000003
【図３】
0003822499.tif 000004
【図４】
0003822499.tif 000005
【図５】
0003822499.tif 000006
【図６】
0003822499.tif 000007
【図７】
0003822499.tif 000008